(57)【要約】      （修正有）【課題】取付部が流動しても、取付部の一部がベースの外部にはみ出すのを防止して、被着体への取付け後の見栄えをよくすることができる掛止具を提供する。【解決手段】掛止具１は、裏面３ａに被着体への取付部を設けたベース３と、このベース３の表面３ｂに突出させて被掛止物を掛脱可能に掛止する掛止体４とを備え、ベース３の裏面３ａの周縁部に取付部を取り囲む捕捉溝５を設ける。ベース３を被着体６の表面６ａに押し付けることで取付部が流動しても、流動する取付部の一部を捕捉溝５によって捕捉する。【選択図】図３
0003153237.tif 000002
【実用新案登録請求の範囲】
【請求項１】
ホットメルト接着材層からなる被着体への取付部を裏面に設けたベースと、このベースの表面に突出させて被掛止物を掛脱可能に掛止する掛止体とを備えた掛止具において、
前記ベースの裏面の周縁部に、軟化溶融状態で押圧された前記取付部を捕捉して、該取付部が前記ベースの外部にはみ出すのを防止する捕捉溝を設けたことを特徴とする掛止具。
【考案の詳細な説明】
【技術分野】
【０００１】
本考案は、掛止具に係り、詳しくは、被着体への取付け時にホットメルト接着材層からなる被着体への取付部の一部が外部にはみ出すのを防止して、取付後の見栄えをよくするようにした掛止具に関するものである。
【背景技術】
【０００２】
従来の掛止具として、たとえば図４，図５に示す掛止具が知られている（特許文献１）。
【０００３】
前記特許文献１に記載の掛止具５０は、ホットメルト接着材層からなる被着体への取付部５１を裏面に設けた樹脂製で縦長矩形状のベース５２と、額ぶちやカレンダーなど掛止物（図示省略）を掛脱可能に支持または吊持状態で掛け止める上向きＵ字状のフック部５３が下端側に設けられ、かつ、上端部を下向き鉤形の基端部５４とし、この基端部５４とフック部５３が上下にのびる胴部５５を介して連続する投影側面形状が略釣針形でステンレス鋼板製の掛止体５６とを備え、この掛止体５６は、基端部５４および胴部５５を嵌合溝５７に嵌合した鉛直な姿勢でベース５２に取り付けられて、フック部５３をベース５２の下側で該ベース５２の表面５２ａから前方に突出させた状態で上向きに開放させている。
【０００４】
前記構成の掛止具５０は、被着体への取付部５１をライターの火焔などで炙って軟化溶融させたのち、図６に示すように、ベース５２を壁や柱などの被着体５８の鉛直な表面５８ａに押し付けた状態で被着体への取付部５１を冷却固化させることで、鉛直な表面５８ａに接着して強固に取り付けることができ、このように取り付けられた掛止具５０のフック部５３で、たとえば額ぶちやカレンダーなどの被掛止物を掛脱可能に支持したり、前記被掛止物を吊持状態で直接または吊り環を介して掛け止めたり、あるいはフック部５３で被掛止物である棚を掛脱可能に支持状態で掛け止め、この棚の物品載置面にたとえば台所用品や日用品などの物品を載置することができる。
【先行技術文献】
【特許文献】
【０００５】
【特許文献１】実用新案登録第３０７２０００号
【考案の概要】
【考案が解決しようとする課題】
【０００６】
ところで、特許文献１に記載の掛止具５０は、被着体への取付部５１が接着力の強いホットメルト接着材層によって構成されているので、耐荷重性が高く重量の重い被掛止物の掛止を許容できる。したがって、掛止位置が殆ど不変である額縁や柱時計などの重量の重い被掛止物あるいは物品載置面に台所用品や日用品などの重量の重い物品が載置される棚などの被掛止物の掛止に好適である。なお、キーホルダー、ゴムバンドあるいはメモ用紙の束などのような軽量かつ掛脱頻度が高い被掛止物の掛止に対応できることはいうまでもない。
【０００７】
ところが、被着体への取付部５１をライターの火焔などで炙って軟化溶融させたのちに、ベース５２を被着体５８の表面５８ａに押し付けることで取付部５１が流動すると、流動した取付部５１の一部がベース５２の外部にはみ出して固化するおそれを有している。このように、取付部５１の一部がベース５２の外部にはみ出して固化すると、掛止具５０を被着体に取付けた後の見栄えが悪くなるといった問題が生じる。
【０００８】
本考案は、このような問題を解決するものであって、その目的とするところは、ベースを被着体の表面に押し付けることで取付部が流動しても、取付部の一部がベースの外部にはみ出すのを防止して、被着体への取付け後の見栄えをよくすることができる掛止具を提供することにある。
【課題を解決するための手段】
【０００９】
前記目的を達成するために、本考案に係る掛止具は、ホットメルト接着材層からなる被着体への取付部を裏面に設けたベースと、このベースの表面に突出させて被掛止物を掛脱可能に掛止する掛止体とを備えた掛止具において、
前記ベースの裏面の周縁部に、軟化溶融状態で押圧された前記取付部を捕捉して、該取付部が前記ベースの外部にはみ出すのを防止する捕捉溝を設けたことを特徴としている。
【００１０】
これによれば、被着体への取付部をライターの火焔などで炙って軟化溶融させたのち、ベースを被着体の表面に押し付けることで取付部が流動しても、流動する取付部の一部を捕捉溝によって捕捉することができるので、取付部の一部がベースの外部にはみ出すのを確実に防止できる。これにより、被着体への掛止具取付け後の見栄えがよくなる。
【考案の効果】
【００１１】
本考案に係る掛止具によれば、ベースを被着体の表面に押し付けることで取付部が流動しても、流動する取付部の一部を捕捉溝によって捕捉することができることによって、取付部の一部がベースの外部にはみ出すのを確実に防止することができる。したがって、被着体への掛止具取付け後の見栄えがよくなる。
【図面の簡単な説明】
【００１２】
【図１】本考案に係る掛止具の実施形態の一例を裏側から見た斜視図である。
【図２】本考案に係る掛止具の実施形態の一例を表側から見た斜視図である。
【図３】本考案に係る掛止具を被着体の鉛直な表面に取付けた拡大断面図である。
【図４】従来例を裏側から見た斜視図である。
【図５】従来例を表側から見た斜視図である。
【図６】従来例を被着体の鉛直な表面に取付けた状態の説明図である。
【考案を実施するための形態】
【実施例】
【００１３】
図１は、本考案に係る掛止具の実施形態の一例を裏側から見た斜視図、図２は、本考案に係る掛止具の実施形態の一例を表側から見た斜視図、図３は、本考案に係る掛止具を被着体の鉛直な表面に取付けた拡大断面図である。
図１〜図３において、掛止具１は、被着体への取付部２を裏面３ａに設けたベース３と、このベース３の表面３ｂ下部に連設されて被掛止物を掛脱可能に掛止する掛止体４とを備えている。
【００１４】
ベース３および掛止体４は樹脂の一体成形品からなり、ベース３は、四隅を円弧状に曲成した略正方形を呈しており、その表面３ｂにおける幅方向中央の下部には、後述する被掛止物を掛脱可能に掛止する掛止体４が前方かつ上向きに突出して連設されている。掛止体４は、その先端部４ａがベース３の表面３ｂから離れて開放された投影側面形状が略釣針形に形成されている。
【００１５】
被着体への取付部２は、塗布機によってベース３の裏面３ａに円形板状に塗布して設けられたホットメルト接着材層からなり、該ホットメルト接着材層を構成するホットメルト接着材としては、溶融温度１２０゜Ｃ〜１６０゜Ｃのポリオレフィン系のＥＶＡ（エチレン・酢酸ビニル共重合体）が適用されている。
【００１６】
ベース３の裏面３ａの周縁部には、被着体への取付部２を取り囲むエンドレス状の捕捉溝５を設けてある。この捕捉溝５は、軟化溶融して押圧された取付部２の一部を捕捉して該取付部２の一部がベース３の外部にはみ出すのを防止するように働く。
【００１７】
前記構成の掛止具１によれば、図１に示す被着体への取付部２をライターの火焔などで炙って軟化溶融させたのち、図３に示すように、ベース３をたとえば壁や柱などの被着体６の鉛直な表面６ａに押し付けた状態で被着体への取付部２を冷却固化させることで、掛止具１を鉛直な表面６ａに接着して強固に取り付けることができ、このように取り付けられた掛止具１の掛止体４で、たとえばキーホルダー、ゴムバンドあるいはメモ用紙の束などのような軽量かつ掛脱頻度が高い被掛止物を掛脱可能に掛け止めたり、額ぶちやカレンダーなどの比較的重量の重い被掛止物を掛脱可能に支持したり、該比較的重量の重い被掛止物を吊持状態で直接または吊り環を介して掛け止めたり、あるいは掛止体４で被掛止物である棚を掛脱可能に支持状態で掛け止め、この棚の物品載置面にたとえば台所用品や日用品などの物品を載置することができる。
【００１８】
一方、ベース３を被着体６の表面６ａに押し付けることで、軟化溶融している被着体への取付部２が流動しても、流動する取付部２の一部は、図３のように捕捉溝５に流入して捕捉されることになる。したがって、取付部２の一部がベース３の外部にはみ出すのを確実に防止できる。これにより、被着体６への掛止具１取付け後の見栄えがよくなる。
【００１９】
前記被着体６の鉛直な表面６ａに接着して強固に取り付けられている掛止具１の取付位置の変更などに際しては、ベース３の裏面３ａと被着体６の鉛直な表面６ａとの間にマイナスドライバーの先端部を差込んで、ベース３の裏面３ａと被着体６の鉛直な表面６ａとを離間させるように力を加えることで、掛止具１を被着体６の鉛直な表面６ａから取り外すことができる。このようにして取り外された掛止具１は、前述と同様の取付け手順を繰り返すことで、再度被着体６の鉛直な表面６ａに接着して強固に取り付けることができる。
【００２０】
前記実施形態の掛止具１では、ベース３および掛止体４が樹脂の一体成形品からなり、ベース３は、四隅を円弧状に曲成した略正方形を呈しており、その表面３ｂにおける幅方向中央の下部に被掛止物を掛脱可能に掛止する掛止体４が前方に突出して連設されている構成としているが、本考案に係る掛止具１は実施形態のみに限定されるものではない。すなわち、ベース３の形状は正円形，楕円形，長円形，矩形などのいずれであってもよい。また、樹脂製のベース３と金属板製の掛止体４とを個別に製作して、ベース３に掛止体４を組み付けた構成の掛止具１（たとえば、図４，図５，図６で説明した掛止具５０に相当する）であってもよい。このような掛止具１であると、ベース３に対して掛止体４の基部を回動自在に組み付けることができる。これにより、掛止具１を図示していない天板や天井などの被着体の下向きの表面に接着して強固に取り付けることで、掛止体４は自重によってベース３に略直交する姿勢に保持されることになるので、この掛止体４に被掛止物を掛止することができる。
【産業上の利用可能性】
【００２１】
ホットメルト接着材層からなる被着体への取付部２をライターの火焔などで炙って軟化溶融させたのち、ベース３を壁や柱などの被着体６の鉛直な表面５８ａまたは天板や天井などの被着体の下向きの表面に押し付けた状態で被着体への取付部２を冷却固化させることで、掛止具１を前記鉛直な表面５８ａまたは下向きの表面に接着して強固に取り付け、このように取り付けられた掛止具１の掛止体４で被掛止物を掛脱可能に支持したり、吊持状態で直接または吊り環を介して掛け止めたり、あるいは掛止体４で被掛止物である棚を掛脱可能に支持状態で掛け止め、この棚の物品載置面にたとえば台所用品や日用品などの物品を載置する。
【符号の説明】
【００２２】
１  掛止具
２  被着体への取付部
３  ベース
３ａ  ベースの裏面
３ｂ  ベースの表面
４  掛止体
５  捕捉溝
６  被着体
【図１】
0003153237.tif 000003
【図２】
0003153237.tif 000004
【図３】
0003153237.tif 000005
【図４】
0003153237.tif 000006
【図５】
0003153237.tif 000007
【図６】
0003153237.tif 000008